(57)【要約】【課題】本発明の課題は、特殊な基礎を含む基礎断面リストを容易かつ正確に作成できる基礎設計用ＣＡＤシステムを提供することである。【解決手段】基礎設計用ＣＡＤシステム１００は、建物の基礎の設計作業を支援するシステムであって、建物の平面図に応じた基礎平面図３０を設計する基礎平面図設計部３と、基礎平面図３０における基礎の断面情報を変更する基礎変更部４と、基礎変更部４により変更された断面情報を含む、基礎平面図３０における基礎の断面情報の一覧である基礎断面リスト５０を作成する基礎断面リスト作成部５と、を備えることを特徴とする。【選択図】図１
2015095059.tif 000002
【特許請求の範囲】
【請求項１】
建物の基礎の設計作業を支援する基礎設計用ＣＡＤシステムであって、
建物の平面図に応じた基礎平面図を設計する基礎平面図設計部と、
前記基礎平面図における基礎の断面情報を変更する基礎変更部と、
前記基礎変更部により変更された断面情報を含む、前記基礎平面図における基礎の断面情報の一覧である基礎断面リストを作成する基礎断面リスト作成部と、を備えることを特徴とする基礎設計用ＣＡＤシステム。
【請求項２】
請求項１に記載の基礎設計用ＣＡＤシステムにおいて、
前記基礎変更部が、基礎の断面形状を変更することを特徴とする基礎設計用ＣＡＤシステム。
【請求項３】
請求項１又は２に記載の基礎設計用ＣＡＤシステムにおいて、
前記基礎変更部が、基礎の寸法値を変更することを特徴とする基礎設計用ＣＡＤシステム。
【請求項４】
請求項１から３のいずれか一項に記載の基礎設計用ＣＡＤシステムにおいて、
前記基礎変更部が、基礎の鉄筋情報を変更することを特徴とする基礎設計用ＣＡＤシステム。
【請求項５】
請求項１から４のいずれか一項に記載の基礎設計用ＣＡＤシステムにおいて、
前記基礎変更部が、前記基礎平面図において新たな基礎の追加又は基礎の削除を行うことを特徴とする基礎設計用ＣＡＤシステム。
【請求項６】
請求項１から５のいずれか一項に記載の基礎設計用ＣＡＤシステムにおいて、
前記基礎変更部により変更された断面情報を記憶する記憶部を更に備えることを特徴とする基礎設計用ＣＡＤシステム。
【発明の詳細な説明】
【技術分野】
【０００１】
本発明は、基礎設計用ＣＡＤシステムに関する。
【背景技術】
【０００２】
建物を設計するにあたり、設計者の負担を軽減するとともに、設計作業に要する時間を短縮するために、コンピュータで設計を行う設計システムが利用されている。そして、建物の基礎は、建物構造体の種類及び配置に応じて設計されるものであるため、基礎の設計についても、コンピュータで設計を行う基礎設計用システムが利用されている。
【０００３】
このような基礎設計用システムとしては、ユニット式建物の一階の平面図及び一階に配置された建物ユニットに応じて、基礎の平面形状を設定し、設定した平面形状を図面化して基礎平面図を作成するＣＡＤ（Computer Aided Design）システムが提供されている（例えば、特許文献１参照）。
【０００４】
このような技術により、建物の基礎平面図を作成することができるが、実際に施工する際には、当該基礎平面図に記載される基礎の断面情報が必要になる。
これに対し、例えば、特許文献２では、あらかじめ基礎の断面形状や寸法値、用いられる鉄筋等の各種情報をハードディスク装置に記憶させてデータベースを構築しておき、施工者が特定の記号を入力することによって、当該記号に対応する基礎の各種情報を引き出し、基礎断面リストとして出力させることができる技術が提案されている。
【先行技術文献】
【特許文献】
【０００５】
【特許文献１】特開平１０−２１２８７号公報
【特許文献２】特開２００１−５２０４０号公報
【発明の概要】
【発明が解決しようとする課題】
【０００６】
しかしながら、上記したような従来の技術にあっては、施工しようとする基礎が、偏心基礎、高基礎、深基礎等のような特殊な基礎である場合、その特殊な基礎の情報があらかじめハードディスク装置に記憶されていなければ、断面情報を出力させることはできない。また、仮に特殊な基礎の情報がハードディスク装置に記憶されていたとしても、施工者は、その特殊な基礎に対応する記号を入力しなければならず、その記号を覚えていなければ、これを探し出す作業が必要となり作業効率が悪い。したがって、従来は、基礎断面リストを紙面等に出力した後、これを手書き等によって適宜修正していた。このため、基礎設計作業の効率が悪く、正確性に欠ける場合があった。
【０００７】
そこで、本発明は、特殊な基礎を含む基礎断面リストを容易かつ正確に作成できる基礎設計用ＣＡＤシステムを提供することを目的としている。
【課題を解決するための手段】
【０００８】
上記課題を解決するために、請求項１に記載の発明は、例えば図１〜図１０に示すように、建物の基礎の設計作業を支援する基礎設計用ＣＡＤシステム１００であって、
建物の平面図に応じた基礎平面図３０を設計する基礎平面図設計部３と、
前記基礎平面図３０における基礎の断面情報を変更する基礎変更部４と、
前記基礎変更部４により変更された断面情報を含む、前記基礎平面図３０における基礎の断面情報の一覧である基礎断面リスト５０を作成する基礎断面リスト作成部５と、を備えることを特徴とする。
【０００９】
請求項１に記載の発明によれば、建物の平面図に応じた基礎平面図３０を設計する基礎平面図設計部３と、基礎平面図３０における基礎の断面情報を変更する基礎変更部４と、基礎変更部４により変更された断面情報を含む、基礎平面図３０における基礎の断面情報の一覧である基礎断面リスト５０を作成する基礎断面リスト作成部５と、を備えるので、基礎設計用ＣＡＤシステム１００上で基礎平面図３０における基礎の断面情報を変更することができ、変更された断面情報を含む基礎断面リスト５０を作成することができる。よって、特殊な基礎を含む基礎断面リスト５０を容易かつ正確に作成することができ、基礎の設計作業の効率化を図ることができる。
【００１０】
請求項２に記載の発明は、例えば図４〜図７、図９及び図１０に示すように、請求項１に記載の基礎設計用ＣＡＤシステム１００において、
前記基礎変更部４が、基礎の断面形状を変更することを特徴とする。
【００１１】
請求項２に記載の発明によれば、基礎変更部４が、基礎の断面形状を変更するので、基礎の断面情報を概略的に変更することができ、より容易に基礎断面リスト５０を作成することができる。また、変更された断面情報を含む基礎断面リスト５０を参照して基礎を施工する施工者に、基礎の形状を概略的に把握させることができ、より正確な基礎の施工を行わせることができる。
【００１２】
請求項３に記載の発明は、例えば図４及び図９に示すように、請求項１又は２に記載の基礎設計用ＣＡＤシステム１００において、
前記基礎変更部４が、基礎の寸法値を変更することを特徴とする。
【００１３】
請求項３に記載の発明によれば、基礎変更部４が、基礎の寸法値を変更するので、基礎の断面情報の変更をより正確に行うことができ、特殊な基礎を含む基礎断面リスト５０をより正確に作成することができる。
【００１４】
請求項４に記載の発明は、例えば図８に示すように、請求項１から３のいずれか一項に記載の基礎設計用ＣＡＤシステム１００において、
前記基礎変更部４が、基礎の鉄筋情報を変更することを特徴とする。
【００１５】
請求項４に記載の発明によれば、基礎変更部４が、基礎の鉄筋情報を変更するので、基礎の断面形状等と併せて鉄筋の種類や本数をも変更させることができ、特殊な基礎を含む基礎断面リスト５０をより容易に作成することができる。
【００１６】
請求項５に記載の発明は、例えば図４に示すように、請求項１から４のいずれか一項に記載の基礎設計用ＣＡＤシステム１００において、
前記基礎変更部４が、前記基礎平面図３０において新たな基礎の追加又は基礎の削除を行うことを特徴とする。
【００１７】
請求項５に記載の発明によれば、基礎変更部４が、基礎平面図３０において新たな基礎の追加又は基礎の削除を行うので、基礎設計用ＣＡＤシステム１００上で基礎の設計変更を行うことができ、設計変更された基礎に対応する基礎断面リスト５０を容易かつ正確に作成することができる。
【００１８】
請求項６に記載の発明は、例えば図１に示すように、請求項１から５のいずれか一項に記載の基礎設計用ＣＡＤシステム１００において、
前記基礎変更部４により変更された断面情報を記憶する記憶部６を更に備えることを特徴とする。
【００１９】
請求項６に記載の発明によれば、基礎変更部４により変更された断面情報を記憶する記憶部６を更に備えるので、過去に記憶部６に記憶された断面情報を利用して基礎断面リスト５０を作成でき、例えば同一構成の基礎を同一条件の敷地に施工するような場合に、基礎断面リスト５０の作成作業を簡略化することができる。
【発明の効果】
【００２０】
本発明によれば、基礎変更部が基礎平面図における基礎の情報を変更し、基礎断面リスト作成部が当該変更された断面情報に基づいて基礎断面リストを作成するので、特殊な基礎を含む基礎平面図を容易かつ正確に作成することができる。
【図面の簡単な説明】
【００２１】
【図１】本発明の基礎設計用ＣＡＤシステムを示すブロック図である。
【図２】ユニット式建物の基礎平面図である。
【図３】変更された基礎の断面情報を含む基礎断面リストを示す図である。
【図４】基礎の断面情報を変更するための変更画面の一例を示す図である。
【図５】断面形状を選択するための断面形状選択画面の一例を示す図である。
【図６】断面形状を選択するための断面形状選択画面の一例を示す図である。
【図７】断面形状を選択するための断面形状選択画面の一例を示す図である。
【図８】鉄筋情報を変更するための鉄筋情報設定画面の一例を示す図である。
【図９】図４に示す変更画面において、基礎の断面形状が選択され、寸法値が入力された後の状態を示す図である。
【図１０】基礎の断面情報が変更された後の基礎平面図である。
【発明を実施するための形態】
【００２２】
以下、図面を参照して本発明の実施の形態について説明する。ただし、以下に述べる実施の形態には、本発明を実施するために技術的に好ましい種々の限定が付されているが、発明の範囲を以下の実施形態及び図示例に限定するものではない。
【００２３】
本発明の基礎設計用ＣＡＤシステム１００は、建物の基礎の設計作業を支援するシステムである。図１は、本発明の一実施形態である、ユニット式建物の基礎の設計のための基礎設計用ＣＡＤシステム１００の概略構成を示す図である。
ここで、ユニット式建物とは、従来から知られる住宅構造の一つであって、工場で製造された箱状の建物ユニットを建築現場で組み合わせて建築される建物である。このような構造によれば、建物ユニットを工場で製造するので、建築現場での作業が削減され、高品質の建物を従来建築に比べて短期間で顧客に提供できるという利点が得られる。箱形の建物ユニットとしては、四隅の柱の上端及び下端を梁で連結した直方体状のフレームを有する建物ユニットが挙げられ、隣接する梁の長さ寸法が異なる平面視長方形状のものが一般的である。
【００２４】
基礎設計用ＣＡＤシステム１００は、図１に示すように、基礎設計用ＣＡＤシステム１００の各部を制御する制御部１、ユーザーが基礎設計用ＣＡＤシステム１００に各種指示を入力する操作入力部２、ユニット式建物の平面図に応じた基礎平面図を設計する基礎平面図設計部３、基礎平面図における基礎の断面情報を変更する基礎変更部４、基礎変更部４により変更された断面情報を含む、基礎平面図における基礎の断面情報の一覧である基礎断面リストを作成する基礎断面リスト作成部５、基礎変更部４により変更された断面情報を記憶する記憶部６、基礎平面図や断面情報、基礎断面リスト等を表示する表示部７等を備えている。
【００２５】
制御部１は、基礎設計用ＣＡＤシステム１００の各部を制御するものである。具体的には、制御部１は、ＣＰＵ（Central Processing Unit）、ＲＡＭ（Random Access Memory）、ＲＯＭ（Read Only Memory）を備え、基礎設計用ＣＡＤシステム１００用の各種処理プログラムに従って各種動作を行う。
【００２６】
操作入力部２は、基礎設計用ＣＡＤシステム１００に対して各種指示を入力するためのものである。具体的には、文字、数値等を入力するためのデータ入力キーや、データの選択、送り操作等を行うための上下左右移動キーや各種機能キー等によって構成される操作部を備えている。制御部１は、操作入力部２から出力され入力された操作信号に従って所定の動作を各部に実行させる。
【００２７】
基礎平面図設計部３は、入力されるユニット式建物の平面図のデータに基づき、建物ユニットの数や形状、その配列等から基礎の全体的な基礎平面図を設計し、基礎平面図のデータを生成する。生成された基礎平面図のデータには、基礎平面図に表される全ての基礎の断面情報の初期値が含まれている。基礎平面図としては、図２に示すような基礎平面図３０が例示される。図２に示す基礎平面図３０は、一例であって、ユニット式建物の構成に応じて適宜変化するものであるが、以下の説明においては、基礎平面図設計部３により図２に示す基礎平面図３０が設計されるものとして説明する。
【００２８】
基礎平面図３０には、図２に示すように、各基礎に対して基礎符号が付されている。
図２に示す基礎平面図３０において、二点鎖線で示す複数の矩形状部分は、各基礎の上に建築されるユニット式建物の１階部分を構成する建物ユニット３２をそれぞれ示している。また、基礎平面図３０において、基礎の上の位置３３は、それぞれ建物ユニット３２の下面の四隅が固定される位置を示し、基礎の上の位置３４は、それぞれ建物ユニット３２の間柱等が設けられる部分が固定される位置を示している。
なお、基礎平面図設計部３は、ユーザーにより操作入力部２を介して選択された布基礎又はベタ基礎のいずれかの基礎平面図を作成するものとしても良い。
【００２９】
基礎平面図設計部３に入力されるユニット式建物の平面図のデータとしては、あらかじめ記憶部６に記憶されたデータであっても良いし、基礎設計用ＣＡＤシステム１００に平面図設計部が更に設けられ、当該平面図設計部により設計され出力されたデータであっても良いし、図示しない通信部等を介して外部から入力されるデータであっても良い。
【００３０】
基礎変更部４は、基礎平面図設計部３により作成された基礎平面図３０における基礎のうち、所定の基礎の断面情報を変更する。ここで、基礎の断面情報としては、例えば、基礎の寸法値、基礎の断面形状及び鉄筋情報等が挙げられる。鉄筋情報とは、基礎を構成する鉄筋に関する情報であって、例えば、鉄筋の種類、本数、径及び配置等を示す。
また、基礎変更部４は、後述するように、基礎平面図３０において新たな基礎の追加又は基礎の削除を行うものとしても良い。
更に、基礎変更部４は、所定の基礎を、ユーザーにより操作入力部２を介して選択された布基礎又はベタ基礎のいずれかに変更するものとしても良い。
【００３１】
基礎断面リスト作成部５は、基礎変更部４により変更された断面情報及び基礎平面図３０に基づいて、基礎平面図３０における各基礎の各断面情報の一覧として、基礎断面リストを作成する。基礎断面リストとしては、図３に示すような基礎断面リスト５０が例示される。図３に示す基礎断面リスト５０は、一例であって、基礎平面図設計部３により設計された基礎平面図３０の内容や、基礎変更部４により変更された断面情報に応じて変化するものであるが、以下の説明においては、基礎断面リスト作成部５により図３に示す基礎断面リスト５０が作成されるものとして説明する。
【００３２】
図３に示すように、基礎断面リスト５０には、基礎平面図３０に示されている全ての基礎の各断面情報が表示されている。基礎断面リスト５０における各基礎の「ＮＯ」の下方には、それぞれ基礎符号が示されており、基礎平面図３０中に示されている基礎符号と対応している。また、図３には、基礎平面図３０における各基礎の断面形状が概略的に示されており、当該概略断面形状の近傍には当該基礎の寸法値（ｍｍ）が示されている。また、図３には、基礎平面図３０における各基礎の鉄筋情報が示されている。
【００３３】
記憶部６は、例えば、ＨＤＤ（Hard Disk Drive）等の大容量記録媒体によって構成されており、基礎変更部４により変更された断面情報、断面情報が変更された基礎平面図３０及び基礎断面リスト作成部５により作成された基礎断面リスト５０等の各種データを記憶する。これにより、過去に変更された断面情報や、断面情報が変更された基礎平面図３０及び基礎断面リスト５０のデータを制御部１が読み込むことができ、過去に変更された断面情報を有効に活用することができる。例えば、分譲団地のように、同一構成の基礎を同一条件の敷地に複数施工するような場合に、記憶部６に記憶された断面情報、基礎平面図３０及び基礎断面リスト５０等を流用することで、基礎設計作業を省略することができ、基礎の施工を効率的に行うことができる。
【００３４】
表示部７は、例えば、液晶表示パネルや有機ＥＬ表示パネル等によって構成されており、基礎平面図３０及び基礎断面リスト５０等を表示する。また、表示部７は、例えば、後述する変更画面４０（図４及び図９参照）、断面形状選択画面４３〜４５（図５〜７参照）及び鉄筋情報設定画面４０１（図８参照）等を表示する。
【００３５】
ここで、上記したように構成される基礎設計用ＣＡＤシステム１００が行う処理について図２〜図１０を参照して具体的に説明する。
【００３６】
まず、制御部１は、ユニット式建物の平面図のデータに基づいて、基礎平面図設計部３により基礎平面図３０を作成する。続いて、制御部１は、基礎平面図設計部３により設計された基礎平面図３０を表示部７に表示させ、ユーザーは、操作入力部２を介して表示部７に表示された基礎平面図３０のうち変更対象としての基礎を特定する。例えば、図２に示すように、ユーザーは操作入力部２により基礎平面図３０上でカーソルを位置Ａ及びＢに移動させ、位置Ａを始点、位置Ｂを終点として、変更対象となる基礎を特定する。カーソルが図２に示すように位置Ａ及びＢに配置された場合には、位置Ａ及び位置Ｂに挟まれる基礎３１が変更対象として特定される。
【００３７】
基礎平面図３０において変更対象となる基礎３１が特定されると、制御部１は、図４に示すような変更画面４０を表示部７に表示させる。
【００３８】
ここで、図４に示す変更画面４０について説明する。
変更画面４０において、「始点」及び「終点」は、基礎平面図３０上において変更対象として特定された基礎の位置座標を示すものであり、「始点」が上記位置Ａの座標を示し、「終点」が上記位置Ｂの座標を示している。
また、「基礎形状」において、「フーチング巾」は、変更画面４０の右側下方に表示されているサンプル画像４１におけるＷ１，Ｗ２及びその合計（Ｗ）の寸法値を示している。「基礎巾」は、サンプル画像４１におけるＢ１，Ｂ２及びその合計（Ｂ）の寸法値を示している。「立ち上がり」は、基礎のうち地面の上に配置される部分の鉛直方向の長さを示しており、サンプル画像４１におけるＨ１の寸法値を示している。「根入り深さ」は、基礎のうち地中に配置される部分の鉛直方向の長さを示しており、サンプル画像４１におけるＨ２の寸法値を示している。「ベース厚」は、基礎のフーチングの厚さを示しており、サンプル画像４１におけるＴの寸法値を示している。
また、「基礎符号」は、基礎平面図３０中の各基礎に付されるものである。
【００３９】
変更画面４０には、基礎３１の断面情報の初期値（変更前の値）が示されており、フーチング巾Ｗが７００ｍｍ、フーチング巾Ｗ１，Ｗ２が共に３５０ｍｍ、基礎巾Ｂが１４０ｍｍ、基礎巾Ｂ１，Ｂ２が共に７０ｍｍ、立ち上がりＨ１が４５０ｍｍ、根入り深さＨ２が３００ｍｍ、ベース厚Ｔが１７０ｍｍとなっている。
【００４０】
このような基礎３１に対して、ユーザーは、操作入力部２を介して変更画面４０の「基礎形状」における各寸法値を変更することができる。これにより、基礎３１の寸法値をユーザーの所望の値に変更することができる。
【００４１】
また、ユーザーは、操作入力部２を介して変更画面４０中の下方に配置される「断面形状」を押下することにより、基礎の断面形状を選択することができる。すなわち、変更画面４０の「断面形状」が押下されると、制御部１は、表示部７に図５に示す断面形状選択画面４３を表示させる。断面形状選択画面４３には、断面形状が異なる複数の標準基礎が表示されている。
ユーザーは、操作入力部２を介して、断面形状選択画面４３の左上の断面形状種別選択欄４６から基礎の種別を変更することができる。ここで、基礎の種別としては、例えば、標準基礎、偏心基礎、高基礎及び深基礎等が挙げられる。断面形状種別選択欄４６から「偏心基礎」が選択されると、制御部１は、断面形状選択画面４３を、図６に示す断面形状選択画面４４に切り替える。断面形状選択画面４４には、断面形状が異なる複数の偏心基礎が表示されている。また、断面形状選択画面４４にも、断面形状種別選択欄４７が設けられており、当該断面形状種別選択欄４７から「標準基礎」が選択されると、制御部１は、断面形状選択画面４４を、再び図５に示す断面形状選択画面４３に切り替える。
また、ユーザーにより、断面形状種別選択欄４６又は４７から「深基礎」が選択されると、制御部１は、断面形状選択画面４３又は４４を、図７に示す断面形状選択画面４５に切り替える。断面形状選択画面４５には、断面形状が異なる複数の深基礎が表示されている。また、断面形状選択画面４５にも、断面形状種別選択欄４８が設けられており、当該断面形状種別選択欄４８から「標準基礎」や「偏心基礎」が選択されると、制御部１は、断面形状選択画面４５を、図５に示す断面形状選択画面４３や４４に切り替える。
なお、図示していないが、断面形状種別選択欄４６〜４８から、「高基礎」が選択されると、制御部１は、断面形状が異なる複数の高基礎が表示された断面形状選択画面（図示略）を表示させる。
また、図５〜図７に示す各断面形状選択画面４３〜４５は一例であって、選択可能な断面形状が複数表示されていればいずれの態様の画面であっても良く、各断面形状選択画面４３〜４５において選択可能な断面形状として別の断面形状が表示されているものとしても良い。
【００４２】
ユーザーにより、操作入力部２を介して、断面形状選択画面４３〜４５に表示されている複数の断面形状からいずれかが選択され、「ＯＫ」が押下されると、制御部１は、表示部７に表示される断面形状選択画面４３〜４５を変更画面４０に切り替え、選択された断面形状を、変更画面４０の右側上方に配置される断面形状表示欄４２内に表示する。以下の説明においては、図６に示す断面形状選択画面４４に表示される偏心基礎の断面形状のうち、断面形状４９が選択されたものとして説明する。したがって、図９及び図１０においても、断面形状４９が選択された場合について示している。
【００４３】
また、ユーザーは、操作入力部２を介して変更画面４０中の左下に配置される「鉄筋情報」を押下することにより、鉄筋情報を変更することができる。
具体的には、変更画面４０の「鉄筋情報」が押下されると、制御部１は、表示部７に図８に示す鉄筋情報設定画面４０１を表示させる。鉄筋情報設定画面４０１には、「上端筋」、「下端筋」、「スターラップ」、「配力筋」、「ベース筋」、「スラブ筋」、「幅止筋」、「腹筋」、「添筋」、「ふかし補強筋」、「ふかし肋補強筋」の種類、本数、径及び配置等が表示されている。図８には、各鉄筋の種類、本数、径及び配置等の初期値が表示された状態の鉄筋情報設定画面４０１を示している。
ユーザーは、操作入力部２を介して、鉄筋情報設定画面４０１における各鉄筋の種類、本数、径及び配置等の具体的な内容を選択又は入力することができる。なお、変更対象となる基礎が布基礎である場合には、「スラブ筋」の欄の入力又は選択を行うことができず、変更対象となる基礎がベタ基礎である場合には、「配力筋」及び「添筋」の欄の入力又は選択を行うことができない。ユーザーにより、鉄筋情報設定画面４０１における各鉄筋の種類、本数、径及び配置等が入力又は選択され、「ＯＫ」が押下されると、制御部１は、表示部７に表示される鉄筋情報設定画面４０１を変更画面４０に切り替える。基礎変更部４により変更された鉄筋の種類、本数、径及び配置等は、図３に示す基礎断面リスト５０に反映されるものである。
なお、図示はしていないが、変更画面４０のサンプル画像４１や断面形状表示欄４２に鉄筋の断面図形が重ねて表示されるものとしても良い。
【００４４】
また、ユーザーは、操作入力部２を介して「基礎符号」の欄に、任意の符号、例えば図９に示すように「ＦＧ５」を入力することができる。基礎符号「ＦＧ５」は、一例であって、「基礎符号」の欄にはユーザーにより所定の文字列が入力されるものであるが、以下の説明及び図示例においては、「基礎符号」の欄に「ＦＧ５」が入力されたものとして説明する。
ユーザーにより「基礎符号」の欄に任意の符号として「ＦＧ５」が入力され、更に、変更画面４０の中央下方に配置される「保存」が押下されると、制御部１は、変更画面４０の各欄に入力された断面情報を当該任意の符号「ＦＧ５」と対応付けて記憶部６に記憶させる。
また、ユーザーにより「基礎符号」の欄に任意の符号「ＦＧ５」が入力され、更に、「基礎符号」の欄の右隣に配置される「参照」が押下されると、記憶部６に当該任意の符号「ＦＧ５」に対応付けられた断面情報があらかじめ記憶されている場合には、制御部１は、当該断面情報を変更画面４０の各欄に反映させる。
また、記憶部６には、標準的な基礎の断面情報が所定の符号（標準断面符号）と対応付けて記憶されているものとしても良く、この場合には、ユーザーにより「基礎符号」の欄に標準断面符号が入力され、更に、「参照」が押下されると、制御部１は、記憶部６に記憶された標準的な基礎の断面情報を変更画面４０の各欄に反映させる。
【００４５】
また、ユーザーにより操作入力部２を介して変更画面４０の「保存」が押下されると、制御部１は、上記のように変更された断面情報のデータを記憶部６に記憶させる。
一方、ユーザーにより操作入力部２を介して変更画面４０の「読込」が押下されると、制御部１は、記憶部６に記憶されている断面情報のデータを選択する選択画面（図示略）を表示部７に表示させる。制御部１は、当該選択画面において、ユーザーにより操作入力部２を介して選択された断面情報のデータを変更画面４０の各欄に反映させる。
【００４６】
このようにして、各断面情報が選択され入力された後の変更画面４０を、図９に示す。
図９に示す変更画面４０において、ユーザーが操作入力部２を介して「ＯＫ」を押下することにより、基礎変更部４は、基礎平面図３０における基礎３１の断面情報を、選択され入力されたとおりに変更する。
なお、基礎変更部４は、鉄筋情報設定画面４０１において鉄筋情報の具体的な内容がユーザーにより選択又は入力されることでこれらを変更するものとしたが、上記基礎の寸法値や基礎の断面形状の変更に連動して、鉄筋情報を変更するように構成されていても良い。
【００４７】
基礎変更部４により基礎の断面情報が変更されると、制御部１は、変更された断面情報を基礎平面図３０に反映し、表示部７に表示させる。断面情報が変更された基礎平面図３０を図１０に示す。図１０に示すように、基礎平面図３０における基礎３１の形状が、基礎変更部４が断面情報を変更したとおりに変更され、基礎３１の基礎符号が「ＦＧ５」に変更されている。
【００４８】
制御部１は、基礎断面リスト作成部５により、変更された断面情報を含む、基礎平面図３０における基礎の断面情報の基礎断面リスト５０を作成させる。図３に示すように、基礎断面リスト５０の「ＮＯ  ２」の欄には、基礎変更部４により変更された断面情報が表示されている。具体的には、基礎断面リスト５０の「ＮＯ  ２」の欄には、変更画面４０において入力された寸法値と、断面形状選択画面４３〜４５から選択された断面形状が表示されている。また、基礎断面リスト５０の「ＮＯ  ２」の欄には、変更された鉄筋情報に基づいて、鉄筋の断面図形が基礎の断面形状に重ねて表示されているとともに、「上端筋」、「下端筋」、「スターラップ」、「ベース筋」及び「配力筋」の種類がそれぞれ表示されている。
このように、変更された断面情報を含む基礎断面リスト５０を作成でき、出力できるので、特殊な基礎を含む基礎断面リスト５０を容易かつ正確に作成することができる。したがって、ユニット式建物の基礎の設計作業を効率化することができる。
【００４９】
なお、基礎変更部４は、基礎平面図３０に対して新たな基礎を追加するものとしても良い。その場合には、まず、ユーザーにより操作入力部２を介して、例えば、図２に示すように基礎平面図３０においてカーソルが位置Ｃ及びＤに移動させられ、基礎を追加する位置が特定される。制御部１は、図４及び図９に示す変更画面と同様の変更画面（図示略）を表示部７に表示させる。ここで表示部７に表示される変更画面の各欄は空欄となっており、これら各欄に適宜数値や文字等を入力することができる。ユーザーにより当該変更画面の各欄に数値等が入力され、更に、「ＯＫ」が押下されることにより、基礎変更部４は、変更画面に入力された断面情報を有する基礎（図示略）を基礎平面図３０の位置Ｃ−Ｄ間に追加する。基礎が追加された場合には、当該追加された基礎の断面情報が基礎断面リスト５０にも追加される。
また、基礎変更部４は、基礎平面図３０における基礎の削除するものとしても良い。その場合には、ユーザーにより操作入力部２を介して基礎平面図３０においてカーソルが移動させられ、削除される基礎が特定される。そして、基礎変更部４は、基礎平面図３０から当該特定された基礎を削除するとともに、その断面情報を削除する。基礎が削除された場合には、当該削除された基礎の断面情報が基礎断面リスト５０からも削除される。
【００５０】
以上、上記した実施形態によれば、ユニット式建物の平面図に応じた基礎平面図３０を設計する基礎平面図設計部３と、基礎平面図３０における基礎の断面情報を変更する基礎変更部４と、基礎変更部４により変更された断面情報を含む、基礎平面図３０における基礎の断面情報の一覧である基礎断面リスト５０を作成する基礎断面リスト作成部５と、を備えているので、基礎設計用ＣＡＤシステム１００上で基礎平面図３０における基礎の断面情報を変更することができ、変更された断面情報を含む基礎断面リスト５０を作成することができる。よって、本発明の基礎設計用ＣＡＤシステム１００によれば、特殊な基礎を含む基礎断面リスト５０を容易かつ正確に作成することができ、基礎の設計作業の効率化を図ることができる。
【００５１】
また、基礎変更部４が、基礎の断面形状を変更するので、基礎の断面情報を概略的に変更することができ、より容易に基礎断面リスト５０を作成することができる。また、変更された断面情報を含む基礎断面リスト５０を参照して基礎を施工する施工者に、基礎の形状を概略的に把握させることができ、より正確な基礎の施工を行わせることができる。
【００５２】
また、基礎変更部４が、基礎の寸法値を変更するので、基礎の断面情報の変更をより正確に行うことができ、特殊な基礎を含む基礎断面リスト５０をより正確に作成することができる。
【００５３】
また、基礎変更部４が、基礎の鉄筋情報を変更する場合には、基礎の断面形状等と併せて鉄筋の種類や本数をも変更させることができ、特殊な基礎を含む基礎断面リスト５０をより容易に作成することができる。
【００５４】
また、基礎変更部４が、基礎平面図３０において新たな基礎の追加又は基礎の削除を行う場合には、基礎設計用ＣＡＤシステム１００上で基礎の設計変更を行うことができ、設計変更された基礎に対応する基礎断面リスト５０を容易かつ正確に作成することができる。
【００５５】
また、基礎変更部４により変更された断面情報を記憶する記憶部６を更に備えるので、過去に記憶部６に記憶された断面情報を利用して基礎断面リスト５０を作成でき、例えば同一構成の基礎を同一条件の敷地に施工するような場合に、基礎断面リスト５０の作成作業を簡略化することができる。
【００５６】
なお、上記した実施形態において、基礎設計用ＣＡＤシステム１００は更にプリンター等を備えるものとしても良く、作成された基礎平面図３０や基礎断面リスト５０等を当該プリンター等によって出力するものとしても良い。また、基礎設計用ＣＡＤシステム１００は更に通信部を備えるものとしても良く、作成された基礎平面図３０や基礎断面リスト５０等を通信部によって外部に出力するものとしても良い。
【００５７】
また、上記した実施形態においては、基礎平面図３０における基礎の断面情報を変更した後に、基礎断面リスト５０を作成するものとしたが、断面情報変更前の基礎平面図３０に基づいてあらかじめ基礎断面リスト５０を作成しておき、これに基礎平面図３０における断面情報の変更を反映させるものとしても良い。
【００５８】
また、上記した実施形態においては、基礎設計用ＣＡＤシステム１００は、ユニット式建物の基礎の設計に用いられるものとしたが、ユニット式建物以外の建物の基礎の設計に用いられるものとしても良い。
【符号の説明】
【００５９】
１      制御部
２      操作入力部
３      基礎平面図設計部
４      基礎変更部
５      基礎断面リスト作成部
６      記憶部
７      表示部
３０    基礎平面図
３１    基礎
３２    建物ユニット
３３，３４  位置
４０    変更画面
４１    サンプル画像
４２    断面形状表示欄
４３〜４５  断面形状選択画面
４６〜４８  断面形状種別選択欄
４９    断面形状
５０    基礎断面リスト
１００  基礎設計用ＣＡＤシステム
４０１  鉄筋情報設定画面
【図１】
2015095059.tif 000003
【図２】
2015095059.tif 000004
【図３】
2015095059.tif 000005
【図４】
2015095059.tif 000006
【図５】
2015095059.tif 000007
【図６】
2015095059.tif 000008
【図７】
2015095059.tif 000009
【図８】
2015095059.tif 000010
【図９】
2015095059.tif 000011
【図１０】
2015095059.tif 000012